(57)【要約】【課題】  搬送バランス、ガイド幅の位置精度、ガイド幅の設定変更のしやすさを総合的に考慮した写真感光材料ガイド機構、写真感光材料収容マガジン、画像露光装置を提供すること。【解決手段】  長尺状のペーパーＰの幅方向をガイドし、かつ、幅寸法を可変とすることで多数種類の写真感光材料をガイドできるようにした写真感光材料ガイド機構であって、基準側ガイド部材２１と、この基準側ガイド部材２１に対して幅方向に移動調整可能な調整側ガイド部材２２と、基準側ガイド部材２１を幅方向における複数の基準位置のうちのいずれか１つ対して取り付けるための第１取り付け手段と、特定の基準位置に設定される基準側ガイド部材２１を基準として、調整側ガイド部材２２を幅方向に位置調整した後、調整された位置に取り付けるための第２取り付け手段とを備えた。【選択図】  図３
2005132567.tif 000002
【特許請求の範囲】
【請求項１】
長尺状の写真感光材料の幅方向をガイドし、かつ、幅寸法を可変とすることで多数種類の写真感光材料をガイドできるようにした写真感光材料ガイド機構であって、
基準側ガイド部材と、
この基準側ガイド部材に対して幅方向に移動調整可能な調整側ガイド部材と、
基準側ガイド部材を幅方向における複数の基準位置のうちのいずれか１つ対して取り付けるための第１取り付け手段と、
特定の基準位置に設定される基準側ガイド部材を基準として、調整側ガイド部材を幅方向に位置調整した後、調整された位置に取り付けるための第２取り付け手段とを備えたことを特徴とする写真感光材料ガイド機構。
【請求項２】
請求項１に記載の写真感光材料ガイド機構が設けられた、長尺状の写真感光材料を収容する写真感光材料収容マガジン。
【請求項３】
請求項１に記載の写真感光材料ガイド機構によりガイドされた長尺状の写真感光材料をプリントサイズに切断するカッターと、
切断された写真感光材料を画像露光部へと搬送させる搬送機構と、
切断された写真感光材料の幅方向中心を画像露光部における画像露光中心に合致させるために、写真感光材料を幅方向に沿って移動させるための幅方向移動機構とを備えていることを特徴とする画像露光装置。
【請求項４】
請求項１に記載の写真感光材料ガイド機構によりガイドされた写真感光材料に対して画像を焼付露光させる画像露光部と、
写真感光材料の幅寸法に関する情報に基づいて、画像露光部による画像露光位置を制御する露光制御部とを備えたことを特徴とする画像露光装置。
【発明の詳細な説明】
【技術分野】
【０００１】
本発明は、長尺状の写真感光材料の幅方向をガイドし、かつ、幅寸法を可変とすることで多数種類の写真感光材料をガイドできるようにした写真感光材料ガイド機構及びこれを備えた写真感光材料収容マガジン及び画像露光装置に関するものである。
【背景技術】
【０００２】
画像露光装置では、写真プリントを作成するため、写真感光材料に画像を露光形成する。写真感光材料は、マガジン（写真感光材料収容マガジン）にロールに巻き取られた形態で保管されており、マガジンから長尺状の写真感光材料を引き出していき、写真感光材料を所定のプリントサイズにカットした後、画像露光部へと送り込む。画像露光部において、写真感光材料の乳剤面に画像が焼付露光される。マガジンから写真感光材料を引き出していくために、マガジンの写真感光材料引出し口の近傍にガイド機構が設けられている。ガイド機構は、写真感光材料を幅方向両側からガイドするため第１ガイド部材と第２ガイド部材とを備えている（例えば、本出願人による下記特許文献１）。ガイド機構により幅方向をガイドされた写真感光材料は、マガジンから引き出された後、搬送ローラ機構（搬送機構）により搬送される。搬送ローラ機構は、駆動ローラと圧着ローラとから構成されており、圧着ローラを駆動ローラ側に圧着させるためのバネも設けられている。写真感光材料は、駆動ローラと圧着ローラに挟持された形で搬送される。
【０００３】
一方、写真感光材料には、種々の規格があり、幅寸法が小さいものから大きいものまで多様な幅寸法の写真感光材料が存在する。したがって、駆動ローラや圧着ローラは、最も大きな幅寸法を有する写真感光材料を搬送できるように、その幅方向のローラ長さが設定されている。また、写真感光材料を搬送ローラ機構で搬送させる場合、搬送バランスを考慮すると、どのような幅寸法の写真感光材料であっても、ローラの幅方向の中央を搬送させることが好ましい。そのため、上記のガイド機構も写真感光材料が搬送経路の幅中心位置を搬送できるように、第１ガイド部材と第２ガイド部材の取り付け位置を設定している。
【特許文献１】特開２０００−３５１４９０号公報
【発明の開示】
【発明が解決しようとする課題】
【０００４】
しかしながら、写真感光材料を常に経路の幅中央位置を搬送させる場合は、次のような課題が生じる。すなわち、 写真感光材料の幅寸法が異なるものに交換する場合、ガイド幅寸法を変更する必要がある。この場合、 第１ガイド部材と第２ガイド部材の両方の位置を調整する必要がある。幅寸法の違いに関わらず、写真感光材料を経路中心を移動させるためには、常に、第１ガイド部材と第２ガイド部材の両方を移動させて調整しなければならないため、精度よく経路の中心位置となるような調整を行うことが難しい。また、ガイド幅を変えるために常に第１・第２ガイド部材の設定位置を変更することは煩雑である。
【０００５】
これに対して、２つのガイド部材のうちの一方（基準側ガイド部材）を固定しておき、もう一方のガイド部材（調整側ガイド部材）のみを幅方向に位置調整するようなガイド機構が考えられる。いわゆる、片側基準という考え方であり、調整側ガイド部材のみを移動させてガイド幅を設定するので、位置精度を出しやすい。また、ガイド幅の設定変更時も調整側ガイド部材のみを移動させるので設定変更作業も簡素化する。
【０００６】
しかしながら、片側基準とした場合、写真感光材料の種々の幅寸法に対応するためには、基準側ガイド部材を搬送幅方向の端部に位置させなければならない。したがって、幅寸法の小さな写真感光材料ほど幅方向の端部側を搬送させなければならなくなる。その結果、写真感光材料を搬送させる場合の搬送バランスが悪くなり、写真感光材料が傾斜した状態で搬送される等の不具合が生じる。圧着ローラによる圧着力で写真感光材料を挟持して搬送させているが、ローラの幅方向中央と端部とでは圧着力が異なるため、写真感光材料を経路幅方向の端部を搬送させると搬送バランスが悪くなる。
【０００７】
本発明は上記実情に鑑みてなされたものであり、その課題は、搬送バランス、ガイド幅の位置精度、ガイド幅の設定変更のしやすさを総合的に考慮した写真感光材料ガイド機構、写真感光材料収容マガジン、画像露光装置を提供することである。 
【課題を解決するための手段】
【０００８】
上記課題を解決するため本発明に係る写真感光材料ガイド機構は、
長尺状の写真感光材料の幅方向をガイドし、かつ、幅寸法を可変とすることで多数種類の写真感光材料をガイドできるようにした写真感光材料ガイド機構であって、
基準側ガイド部材と、
この基準側ガイド部材に対して幅方向に移動調整可能な調整側ガイド部材と、
基準側ガイド部材を幅方向における複数の基準位置のうちのいずれか１つ対して取り付けるための第１取り付け手段と、
特定の基準位置に設定される基準側ガイド部材を基準として、調整側ガイド部材を幅方向に位置調整した後、調整された位置に取り付けるための第２取り付け手段とを備えたことを特徴とするものである。
【０００９】
この構成による写真感光材料ガイド機構の作用・効果は、以下の通りである。写真感光材料の幅方向をガイドするため、基準側ガイド部材と調整側ガイド部材とを設けている。基本的には、調整側ガイド部材を基準側ガイド部材に対して幅方向に移動調整することでガイド幅の寸法を設定変更することができる。ただし、基準側ガイド部材は、１つの基準位置に対してのみ取り付けるのではなく、複数の基準位置に対して取り付けることができる。これを分かりやすく図４で説明する。図４において、Ｌで示すのは、写真感光材料を搬送する搬送ローラの搬送幅に対応する。写真感光材料の幅寸法の例として、４”〜５”（”はインチを示す）、１０”〜１１”、１１”〜１２”を示しており、３つのグループに分けている。基準側ガイド部材の基準位置としてＡ1 ，Ａ2 ，Ａ3 の３つが示されており、基準位置が複数設けられている。そして、４”の幅の写真感光材料をガイドする場合は、調整側ガイド部材をＢ12の位置に設定し、４”から５”へと幅を変更する場合は、基準側ガイド部材はそのままにして、調整側ガイド部材をＢ11の位置に設定して取り付ける。４”から１０”へと幅を変更する場合は、基準側ガイド部材をＡ2 の位置に設定した上で、調整側ガイド部材をＢ22の位置に変更すればよい。
【００１０】
以上のように、複数の片側基準を設けることで、写真感光材料を経路の幅方向中央（または、ほぼ中央）を搬送させるようにすることができる。これにより、搬送バランスを維持することができる。また、片側基準によるガイド幅の設定変更を設けることで、写真感光材料を搬送させる場合の幅方向の位置精度や、設定変更を行うときの手順を簡素化することができる。その結果、搬送バランス、ガイド幅の位置精度、ガイド幅の設定変更のしやすさを総合的に考慮した写真感光材料ガイド機構を提供することができる。
【００１１】
本発明に係る写真感光材料ガイド機構は、好適には写真感光材料収容マガジンに設けることができる。これにより、写真感光材料収容マガジンに、種々の幅寸法の写真感光材料を収容させることができる。また、写真感光材料収容マガジンの幅方向中心付近に写真感光材料が収容されるため、マガジン交換等の取り扱い時に、重量バランスがよく作業性がよくなる。
【００１２】
上記課題を解決するため本発明に係る画像露光装置は、
本発明に係る写真感光材料ガイド機構によりガイドされた長尺状の写真感光材料をプリントサイズに切断するカッターと、
切断された写真感光材料を画像露光部へと搬送させる搬送機構と、
切断された写真感光材料の幅方向中心を画像露光部における画像露光中心に合致させるために、写真感光材料を幅方向に沿って移動させるための幅方向移動機構とを備えていることを特徴とするものである。
【００１３】
本発明に係るガイド機構によりガイドされる写真感光材料はプリントサイズに切断された後、画像露光部に搬送機構により搬送される。画像露光部では、写真感光材料の画像形成面に対して画像を露光形成させる。この場合、写真感光材料と画像露光部の相対位置関係を適切にしておかないと、画像をうまく形成することができない。本発明に係るガイド機構によれば、写真感光材料は経路の中心位置（又はほぼ中心位置）を搬送されることになるが、いつも中心位置を搬送されるわけでない。そこで、幅方向移動機構を設けておき、写真感光材料を幅方向に沿って移動させる構成を備えておくことで、写真感光材料の幅方向中心と画像露光中心とを合致させることができる。これにより、常に適切な位置に画像を露光形成することができる。
【００１４】
本発明の好適な実施形態として、本発明に係る写真感光材料ガイド機構によりガイドされた写真感光材料に対して画像を焼付露光させる画像露光部と、
写真感光材料の幅寸法に関する情報に基づいて、画像露光部による画像露光位置を制御する露光制御部とを備えたものがあげられる。
【００１５】
先ほどは、幅方向移動機構により画像露光中心と写真感光材料の幅方向中心とを合致させる構成を説明したが、画像露光部による画像露光位置を制御することでも、両者を合致させることもできる。
【発明を実施するための最良の形態】
【００１６】
本発明に係る写真感光材料ガイド機構の好適な実施形態を図面を用いて説明する。図１は、写真感光材料ガイド機構が設けられている画像露光装置の構成を示す模式図である。
【００１７】
＜画像露光装置の構成＞
まず、写真感光材料であるペーパーがロールＲの形態で収容されたペーパーマガジン１（写真感光材料収容マガジンに相当）が２機設けられている。２つのペーパーマガジン１のうちのいずれかが使用される。アドバンスローラ２は、ペーパーマガジン１から引き出された長尺状のペーパーＰを下流側の搬送経路へと送り出す。ペーパーカッター３は、引き出された長尺状のペーパーＰをプリントサイズに切断する。 裏面印字機４は、ペーパーＰの裏面にコマ番号等のデータを印字する。裏面印字機４の搬送経路前後にわたって、搬送ローラ対５と搬送ローラ対６とが設けられている。 これら搬送ローラ対５，６は、振り分け搬送部へペーパーを送り込むペーパー供給部１６として機能する。
【００１８】
チャッカー７（幅方向移動機構に相当）は、上流側搬送機構である搬送ローラ対５，６からペーパーＰを受け取る。チャッカー７は、ペーパーＰを挟持して搬送する機能を有しており、図１には示されていないが、実際には２つ設けられている。このチャッカー７は、ペーパーＰを振り分け搬送させる機能を有する。 この点は後述する。図１においてＡで示されるのが振り分け搬送路である。搬送ローラ対８は、チャッカー７により搬送されてきたペーパーＰを受け取り、下流側の露光部へと引き渡す機能を有する。
【００１９】
画像露光部９には、露光エンジン１０と、露光搬送ローラ対１１，１２が設けられている。露光エンジン１０は、デジタル画像データに基づいて、ペーパーＰの乳剤面に画像を焼付露光するものである。具体的には、露光光を主走査方向（搬送幅方向）に沿って走査しつつ、ペーパーＰを副走査方向（搬送方向）に沿って一定速度で移動させることで、画像を形成する。露光エンジン１０については、レーザーエンジン、ＰＬＺＴエンジン、ＣＲＴエンジン等の適宜の構造のエンジンを用いることができる。
【００２０】
画像が焼付露光されたペーパーＰは、搬送ローラ群１３により引き続き搬送され、現像処理部１４と乾燥処理部１５にて所定の処理が施され、仕上がりの写真プリントとして装置外部に排出される。
【００２１】
＜ペーパーマガジンの構成＞
次に、ペーパーマガジン１の構成を図２により説明する。図２において、ペーパーマガジン１は、下ケース１ａと上ケース１ｂとを備え、上ケース１ｂは下ケース１ａに対してヒンジ機構により開閉自在に取り付けられている。その内部には、ペーパーを巻芯１ｃに巻き取ったロールＲを収容できる空間が形成されている。ペーパーマガジン１のペーパー引出し口１ｄには、本発明に係るペーパーガイド機構２０が設けられている。ペーパーは、このガイド機構２０により幅方向をガイドされた状態で順次引き出されていく。ガイド機構２０は、第１ガイド部材２１と第２ガイド部材２２とを備えている。このペーパーマガジン１は、種々の幅寸法のペーパーを収容できるように構成されており、ペーパー幅に合わせてガイド機構２０を調整することで、適切にガイドを行えるようにしている。
【００２２】
＜ペーパーガイド機構の構成＞
次に、ガイド機構２０の構成を図３に示す。第１ガイド部材２１と第２ガイド部材２２とは基本的には同じ形状を有している。ペーパーの幅方向両端部を支持するために、第１ガイド部材２１と第２ガイド部材２２には、夫々ガイド溝２１ａ，２２ａが形成されている。第１・第２ガイド部材２１，２２の裏面には、取り付け用の位置決め凸部２１ｂ，２２ｂが形成されている。ペーパーマガジン１には、ガイド取り付け用の基台２３が取り付けられている。基台２３には、第１・第２ガイド部材２１，２２を位置決め設定するための凹溝が多数形成されている。
【００２３】
次に、ガイド機構２０によるペーパーガイドの考え方を図４により説明する。まず、ペーパーを幅寸法により３つのグループに分ける。第１グループは幅が４”〜５”（”はインチを示す）、第２グループは幅が１０" 〜１１" 、第３グループは幅が１１”〜１２”である。ただし、グループ分けについては３つではなく、２つ若しくは４つ以上であっても良い。また、グループを分ける場合にどの寸法値で分けるかも適宜設定できるものである。図中Ｌで示されるのは巻芯１ｃの軸方向の長さ（あるいは、搬送経路の幅方向の長さ）を示している。
【００２４】
第１ガイド部材２１は基準側ガイド部材として機能し、各グループにおいて幅寸法を設定する際の基準位置に設定される。基準位置は、各グループに夫々設けられており、３つの基準位置Ａ1 ，Ａ2 ，Ａ3 が設けられている。図３に示すように、基準位置Ａ1 ，Ａ2 ，Ａ3 に対応して３つの凹部が基台２３に形成されており、第１ガイド部材２１の突起２１ｂをいずれか１つの凹溝に嵌合させることで、いずれか１つの基準位置に設定することができる。第１ガイド部材２１の基台２３に対する固定は、基台２３に多数の締結用雌ねじ２３ａが形成されており、雄ねじ２４により第１ガイド部材２１を固定することができる。よって、基台２３に形成された雌ねじ２３ａと各凹溝、第１ガイド部材２１の突起２１ｂ、雄ねじ２４は、第１取り付け手段に相当する。
【００２５】
第２ガイド部材２２は調整側ガイド部材として機能し、第１ガイド部材２１を基準として幅方向に位置調整可能に構成される。第１ガイド部材２１を基準位置Ａ1 の凹溝に設定したときは、第２ガイド部材２２は基準位置Ｂ11又はＢ12の凹溝に設定できる。第１ガイド部材２１を基準位置Ａ2 の凹溝に設定したときは、第２ガイド部材２２は基準位置Ｂ21とＢ22の凹溝に設定できる。基準位置Ａ3 の場合も同様である。なお、図３は概念的に説明する図であり、第２ガイド部材２２の設定箇所は２箇所に限定されるものではなく、３箇所以上設定できるようにすることができる。第２ガイド部材２２は雄ねじ２５により基台２３に対して固定することができる。よって、基台２３に形成された雌ねじ２３ａと各凹溝、第２ガイド部材２２の突起２２ｂ、雄ねじ２５は、第２取り付け手段に相当する。第１・第２ガイド部材２１，２２のネジ締結用の孔は長孔に形成されているが、丸孔に形成するようにしても良い。
【００２６】
以上のように複数の片側基準を設けることで、搬送されるペーパーの幅中心を搬送経路の幅中心に合致又はほぼ合致させることができる。例えば、４" 〜５" のグループについては、４．５”（設定された幅寸法の範囲の中間値）のペーパーの幅方向中心が経路幅中心に一致するように、基準位置を設定することができる。１０" 〜１１" と１１" 〜１２" についても同様である。あるいは、４”〜５" の範囲について４”あるいは５”のペーパーの幅方向中心を経路中心に合致させるようにしても良い。いずれにせよ、すべてのペーパーについて、ほぼ経路中心を搬送させることができるので、搬送バランスを維持することができる。
【００２７】
＜幅方向移動機構＞
次に、振り分け機構（幅方向移動機構）の構成について図５により説明する。図５は、振り分け搬送機構３０の構成を示す平面模式図である。先ほど説明したチャッカー７であるが、第１チャッカー７１と第２チャッカー７２の２つが設けられている。第１チャッカー７１を搬送経路に沿った方向（矢印Ｙ）に移動させるために第１駆動機構が設けられており、この第１駆動機構は、第１モーター３１と第１搬送ベルト３２とを備えている。また、第２チャッカー７２を搬送経路に沿って移動させるためにも第１駆動機構が設けられており、第２モーター３３と第２搬送ベルト３４とを備えている。これら２つの第１駆動機構は、それぞれ独立して駆動させることができる。したがって、第１・第２チャッカー７１，７２も各々独立して駆動することができる。第１チャッカー７１は、第１支持体３５に支持されており、この第１支持体３５は、 第１搬送ベルト３２に固定されている。第２チャッカー７２は、第２支持体３６に支持されており、この第２支持体３６は、 第２搬送ベルト３４に固定されている。これにより、各搬送ベルト３２，３４を駆動することで、各チャッカー７１，７２を搬送方向に移動させることができる。各チャッカー７１，７２がペーパー供給部１６からペーパーを受け取り、露光部９へとペーパーを受け渡す。
【００２８】
また、各チャッカー７１，７２は、搬送方向と直交する搬送幅方向（図２の矢印Ｘ方向）にも移動できるようになっており、そのための第２駆動機構が第１・第２支持体３５，３６に夫々搭載されている。第２駆動機構については図示されていないが、例えば、リニアモータにより各チャッカー７１，７２を駆動できる。
【００２９】
各チャッカー７１，７２の動きを制御するために、制御装置４０が設けられている。チャッカー７１，７２を駆動するためのチャッカー駆動部４１が設けられている。モーター３１，３３を駆動するためのモータ駆動部４２が設けられている。制御装置４０は、これらチャッカー駆動部４１とモータ駆動部４２に指令を与えることで、各チャッカー７１，７２の駆動を制御する。
【００３０】
なお、各チャッカー７１，７２は左右対称的な配置ではあるが、同じ機構を備えており、第１駆動機構と第２駆動機構も同じ機構である。
【００３１】
次に振り分け搬送の動きを説明する。この振り分け搬送部２０は、振り分け搬送を行うモードと１列搬送を行うモードとを切り換えることができる。図５は、振り分け搬送を行うときの様子を示している。幅広のペーパーＰを搬送するときには、１枚のペーパーＰを第１・第２チャッカー７１，７２の両方で挟持して搬送するようにしている。この場合は、第１モーター３１と第２モーター３３とが同じ動きをするように制御装置４０により制御する。また１列搬送の時には、第１駆動機構のみが作動し、第２駆動機構は作動しない。
【００３２】
サービスサイズのように幅狭のペーパーＰを搬送するときには、振り分け搬送機構３０により１列から２列に振り分ける。これにより、露光部９において２列の状態で露光処理を行うことができるので、写真処理の効率を高めることができる。振り分けを行う場合、図５に示すように、右側の第１チャッカー７１は、矢印Ｂに示すような動きをし、左側の第２チャッカー７２は矢印Ｃに示すような動きをする。このように第１チャッカー７１と第２チャッカー７２を交互に駆動することで、１列から２列に振り分けることができる。
【００３３】
また、制御装置４０は、幅情報設定部４３からの情報に基づき各チャッカー７１，７２のＸ方向の移動量を制御することができる。幅情報設定部４３には、搬送されるペーパーの幅寸法のデータが設定・記憶されている。幅寸法データは、ペーパーマガジン１から受け取ることができる。あるいは、オペレータが幅寸法データを入力することで設定するようにしても良い。
【００３４】
ペーパーを１列で搬送させる場合、ペーパーの幅方向中心と露光中心とを合致させるようにする。すなわち、 ペーパーに露光光を走査して画像を形成する場合、主走査方向の中心位置とペーパーの幅方向中心位置とを合わせることで、適切に画像を露光形成することができる。そこで、幅情報設定部４３に設定されているデータに基づいて各チャッカー７１，７２を制御することで、中心位置を合わせることができる。
【００３５】
上記構成に代えて、露光光の主走査方向の中心位置を変えることでペーパーの中心位置に合わせることもできる。すなわち、 幅情報設定部４３に設定されている幅寸法データに基づいて、主走査方向の露光範囲をずらすことができる。露光制御部４４は、幅情報設定部４３からのデータに基づいて主走査方向の露光範囲を調整することができる。
【００３６】
以上ペーパーを１列で搬送する場合について説明したが２列に振り分けて搬送させる場合にも同様に考えることができる。
【００３７】
＜別実施形態＞
（１）ガイド部材の構成については、本実施形態のものに限定されるものではない。本実施形態では、ガイド部材に突起を形成し、基台に凹溝を形成しているが、この関係を逆にしても良い。本実施形態では、第２ガイド部材の調整位置が段階的に設定されているが、連続的に無段階に調整できるようにしても良い。そのためガイド部材に形成する突起の方向をペーパー幅方向と同じ方向（図３とは直交する方向）とし、基台に形成する凹溝もそれに合わせる。これにより、第２ガイド部材を無段階に調整することができる。調整位置としては、ガイド部材と基台の双方に目印等を付けておくことで行うことができる。例えば、一方に三角形の印、他方に数値を刻印（印字）して両者を合わせることで位置調整ができる。
（２）ペーパーマガジンに本発明に係るガイド機構を設ける構成を説明したが、ペーパーマガジン以外のペーパー搬送路に本発明に係るガイド機構を設けても良い。
（３）本発明において、第１ガイド部材と第２ガイド部材の組立順序について、すなわち、 どちらを先に基台に取り付けるかは任意であり、これにより、本発明が限定されるものではない。第１ガイド部材を先に取り付けてもよいし、第２ガイド部材を先に取り付けても良い。
【図面の簡単な説明】
【００３８】
【図１】写真感光材料ガイド機構が設けられている画像露光装置の構成を示す模式図
【図２】ペーパーマガジンの構成を示す図
【図３】ペーパーガイド機構の構成例を示す図
【図４】ガイド機構の考え方を説明する図
【図５】振り分け機構の構成を説明する図
【符号の説明】
【００３９】
１      ペーパーマガジン
７      チャッカー
９      画像露光部
２０    ガイド機構
２１    第１ガイド部材
２２    第２ガイド部材
２１ａ，２２ａ      ガイド溝
２１ｂ，２２ｂ      位置決め突起
２３    基台
２３ａ  雌ねじ
２４，２５
４３    幅情報設定部
４４    露光制御部
【図１】
2005132567.tif 000003
【図２】
2005132567.tif 000004
【図３】
2005132567.tif 000005
【図４】
2005132567.tif 000006
【図５】
2005132567.tif 000007